(57)【要約】      （修正有）【課題】設置構造物から突出した既設のボルトの突出長さが短い場合において容易に既設のボルトをベースプレートに固定することのできる固定構造を提供する。【解決手段】締結ナット５は貫通孔３０に侵入した状態で既設のボルト２に螺合する略円筒状の円筒部５１と、円筒部５１と一体に形成された六角柱状のナット部５２と、円筒部５１およびナット部５２における締結ナット５の軸線に沿って形成され既設のボルト２の雄ネジ部２０に螺合する雌ネジ部５０とを有し、円筒部５１がベースプレート３の貫通孔３０に侵入すると共に、円筒部５１の雌ネジ部５０が既設のボルト２に螺合しており、ナット部５２の雌ネジ部５０にロックボルト６がネジ込まれ、そのロックボルト６の先端が既設のボルト２の先端に当接してなる。【選択図】図２
0003154635.tif 000002
【実用新案登録請求の範囲】
【請求項１】
設置構造物から突出する既設のボルトに締結プレートの貫通孔を挿通させ、前記既設のボルトに締結ナットを螺合させて前記締結プレートを前記設置構造物に固定する固定構造であって、
前記締結ナットは前記貫通孔に侵入した状態で前記既設のボルトに螺合する略円筒状の円筒部と、該円筒部と一体に形成された六角柱状のナット部と、前記円筒部およびナット部における前記締結ナットの軸線に沿って前記締結ナットの一端から他端に向って貫通して形成され前記既設のボルトの雄ネジ部に螺合する雌ネジ部とを有し、
前記円筒部が前記締結プレートの貫通孔に侵入すると共に、前記円筒部の雌ネジ部が前記既設のボルトに螺合しており、
前記ナット部の雌ネジ部にロックボルトがネジ込まれ、当該ロックボルトの先端が前記既設のボルトの先端に当接してなる締結プレートの固定構造。
【考案の詳細な説明】
【技術分野】
【０００１】
本考案はアンカーボルトなどの既設のボルトによる締結プレートの固定構造に関するものである。
【背景技術】
【０００２】
従来より、コンクリート構造物に埋設されたアンカーボルトなどによる締結プレートの固定構造が種々提案されている（特許文献１参照）。
【先行技術文献】
【特許文献】
【０００３】
【特許文献１】特開平９−１００８２２号（要約書）
【考案の概要】
【０００４】
ところで、図１Ａに示すように、施工ミスなどにより、コンクリート構造物１から突出したアンカーボルト２の突出長さが短い場合がある。かかる場合、従来では、締結プレート３の貫通孔３０を現場で拡大加工し、ロングナットをアンカーボルト２に継いだ後、多数のワッシャを積み上げてアンカーボルト２の雄ネジを延長するためのボルトを組み付けて施工していた。そのため、現場での多大な労力と時間を要していた。
かかる不都合はアンカーボルトの場合だけでなく、設置構造物から突出する既設のボルトの場合にも同様に生じる。
【０００５】
したがって、本考案の目的は、コンクリート構造物などの設置構造物から突出したアンカーボルトなどの既設のボルトの突出長さが短い場合において、容易にベースプレートなどの締結プレートを固定することのできる固定構造を提供することである。
【０００６】
前記目的を達成するために、本考案に係るあるベースプレートの固定構造は、コンクリート構造物から突出するアンカーボルトにベースプレートの貫通孔を挿通させ、前記アンカーボルトに締結ナットを螺合させて前記ベースプレートを前記コンクリート構造物に固定する固定構造であって、前記締結ナットは前記貫通孔に侵入した状態で前記アンカーボルトに螺合する略円筒状の円筒部と、該円筒部と一体に形成された六角柱状のナット部と、前記円筒部およびナット部における前記締結ナットの軸線に沿って前記締結ナットの一端から他端に向って貫通して形成され前記アンカーボルトの雄ネジ部に螺合する雌ネジ部とを有し、前記円筒部が前記ベースプレートの貫通孔に侵入すると共に、前記円筒部の雌ネジ部が前記アンカーボルトに螺合しており、前記ナット部の雌ネジ部にロックボルトがネジ込まれ、当該ロックボルトの先端が前記アンカーボルトの先端に当接してなる。
【０００７】
この態様によれば、締結ナットの円筒部がベースプレートの貫通孔に侵入すると共に、雌ネジ部が前記アンカーボルトに螺合することにより有効ネジ長さが確保される。そのため、施工ミスによってアンカーボルトの突出長さが短い場合であっても、前記締結ナットを用いることで、締結ナットのナット部がベースプレートを押し付け、ベースプレートをコンクリート構造物に容易に固定することができる。
【０００８】
さらに、前記ナット部の雌ネジ部からロックボルトをネジ込み、当該ロックボルトの先端を前記アンカーボルトの先端に当接させることより、アンカーボルトとロックボルトとの反力によって、締結ナットの緩みを防止することができる。
【図面の簡単な説明】
【０００９】
【図１】本考案の実施例１にかかるアンカーボルトによるベースプレート（締結プレートの一例）の固定構造の固定方法を示す概略断面図である。
【図２】図２Ａは施工後のアンカーボルトによるベースプレートの固定状態を示す概略断面図、図２Ｂは同概略平面図である。
【図３】図３Ａはアンカーボルトとロックボルトとの接触状態を示す概略側面図、図３Ｂは実施例２の固定構造を示す概略断面図である。
【実施例１】
【００１０】
以下、本考案の一実施例としてアンカーボルトによるベースプレートの固定構造を図面にしたがって説明する。
図２Ａに示すように、本固定構造は、コンクリート構造物（設置構造物の一例）１から突出するアンカーボルト２（既設のボルトの一例）にベースプレート３の貫通孔３０を挿通させ、前記アンカーボルト２に締結ナット５を螺合させてベースプレート３をコンクリート構造物１に固定している。
【００１１】
締結ナット５：
前記締結ナット５は、雌ネジ部５０、円筒部５１およびナット部５２を備えている。
前記円筒部５１は、前記貫通孔３０に侵入した状態でアンカーボルト２に螺合するものである。
前記ナット部５２は、前記円筒部と一体に、六角柱状に形成されている。
【００１２】
前記雌ネジ部５０は、前記円筒部５１およびナット部５２における締結ナット５の軸線５Ｃに沿って、締結ナット５の一端５ａから他端５ｂに向って貫通されて形成されている。前記雌ネジ部５０は締結ナット５の円筒部５１およびナット部５２を貫通するように形成されている。
締結ナット５の円筒部５１がベースプレート３の貫通孔３０に侵入していると共に、当該締結ナット５の雌ネジ部５０がアンカーボルト２の雄ネジ部２０に螺合している。
【００１３】
ロックボルト６：
図３に示すように、ロックボルト６の先端６ａがアンカーボルト２の先端２ａに当接するように、図２Ａおよび図２Ｂに示すナット部５２の雌ネジ部５０から、例えば六角穴６１付のロックボルト６がネジ込まれている。図３の矢印で示すように、締結ナット５にロックボルト６がネジ込まれることによって、アンカーボルト２にロックボルト６が当接して反力が生じ、図２Ａに示すように、締結ナットがアンカーボルト２に固定される。
このように、締結ナット５がアンカーボルト２に固定されることにより、締結ナット５のナット部５２によってベースプレート３が下方向に押し付けられてベースプレートがコンクリート構造物１に固定される。
【００１４】
アンカーボルトによるベースプレートの固定方法：
図１Ａに示すコンクリート構造物１から突出した部分が短いアンカーボルト２にベースプレート３の貫通孔３０を挿通させる。
【００１５】
その後、図１Ｂに示すように、ワッシャ４を介して締結ナット５の円筒部５１を前記ベースプレート３の貫通孔３０内に挿入し、締結ナット５の雌ネジ部５０をアンカーボルト２の雄ネジ部２０にネジ込む。前記ネジ込みには、六角柱状のナット部５２に合致するサイズの工具を用いる。
前記ネジ込みにより、円筒部５１がベースプレート３の貫通孔３０に侵入すると共に、雌ネジ部５０がアンカーボルト２の雄ネジ部２０に螺合される。そのため、締結ナット５のナット部５２の下端は、ワッシャ４を介してベースプレート３の貫通孔３０の周囲が押し付けられて、ベースプレート３をコンクリート構造物１に固定する。
【００１６】
その後、図２Ａおよび図２Ｂに示すように、締結ナット５の雌ネジ部５０に上方から六角穴付のロックボルト６をネジ込む。六角レンチを用いてロックボルト６をネジ込むことにより、図３に示すように、ロックボルト６の先端６ａがアンカーボルト２の先端２ａに当接する。ロックボルト６のネジ込みにより締結ナット５の緩みが防止される。
【００１７】
なお、図２Ａに示すように、締結ナット５における雌ネジ部５０の長さは、当該雌ネジ部５０に螺合するアンカーボルト２の雄ネジ部２０の有効長さＬ以上の長さに設定されている。
【００１８】
ここで、出願人は、以下のような引っ張り試験を行った。
まず、直径１４ｍｍ、長さ１６ｍｍの円筒部５１を有する締結ナット５に、直径約９ｍｍのアンカーボルト２を円筒部５１の下端５ａから１０ｍｍまでネジ込んだ。その後、締結ナット５とアンカーボルト２との間で引っ張り試験を行ったところ、螺合部分ではなく円筒部５１の下端５ａから約７ｍｍ〜１０ｍｍ付近でアンカーボルト２が切断された。
以上の試験により、アンカーボルト２の雄ネジ部２０に、締結ナット５の雌ネジ部５０を螺合させることで、アンカーボルト２と締結ナット５とを接合した本構造の信頼性を確認できた。
【００１９】
図３Ｂは実施例２を示す。
この図に示すように、設置構造物はコンクリート構造物１ではなく鋼材１Ａであってもよい。この場合、既設のボルト２Ａはアンカーボルト２ではなく鋼材１Ａに溶接されていてもよい。
また、ロックボルト６は六角穴付ボルトである必要はなく、首下ボルトなど、締め付けが可能なボルト６Ａを使用できる。
【産業上の利用可能性】
【００２０】
本考案の固定構造は、アンカーボルトによるベースプレート等の固定に用いることができる。
【符号の説明】
【００２１】
１：コンクリート構造物（設置構造物）
２：アンカーボルト（既設のボルト）
３：ベースプレート（締結プレート）                                                ５：締結ナット
５Ｃ：軸線
６：ロックボルト
３０：貫通孔
５０：雌ネジ部
５１：円筒部
５２：ナット部
【図１】
0003154635.tif 000003
【図２】
0003154635.tif 000004
【図３】
0003154635.tif 000005